(57)【要約】      （修正有）【課題】装身具、玩具又は携帯端末用アクセサリに装着され、装置本体の揺動に伴って発光素子を点滅又は点灯させて消費電力を抑制できる装身具等用発光装置を提供する。【解決手段】携帯端末用アクセサリ等の被装着体に装着し、消灯姿勢及び前記の消灯姿勢と異なる複数の点灯姿勢にされる装置本体を備えて装身具等用発光装置とする。前記装置本体は、電源６と、発光素子７Ａ〜７Ｃと、前記消灯姿勢以外の前記各点灯姿勢において、前記装置本体の揺動を検出する揺動検出手段８と、前記電源、及び前記発光素子に接続され、前記発光素子の点滅又は点灯・消灯を制御する制御手段１０と、を備え、前記制御周手段は、前記各点灯姿勢において、前記揺動検出手段が前記装置本体の揺動を検出すると、前記発光素子を点滅又は点灯し、前記消灯姿勢において、前記発光素子を消灯する。【選択図】図５
0003182216.tif 000002
【実用新案登録請求の範囲】
【請求項１】
装身具、玩具又は携帯端末用アクセサリ等の被装着体に装着され、一の消灯姿勢及び前記一の消灯姿勢と異なる複数の点灯姿勢にされる装置本体を備える装身具等用発光装置であって、
［Ａ］前記装置本体は、
電源と、
発光素子と、
前記各点灯姿勢において、前記装置本体の揺動を検出する揺動検出手段と、
前記電源、及び前記発光素子に接続され、前記発光素子の点滅又は点灯・消灯を制御する制御手段と、
を備え、
［Ｂ］前記制御手段は、
前記消灯姿勢以外の前記各点灯姿勢において、前記揺動検出手段が前記装置本体の揺動を検出すると、前記発光素子を点滅又は点灯し、
前記消灯姿勢において、前記発光素子を消灯する
ことを特徴とする装身具等用発光装置。
【請求項２】
［Ｃ］前記装置本体は、
手動操作に伴って、前記電源及び前記制御手段を通電・遮断する電源スイッチを備え、
［Ｄ］前記制御手段は、
前記各点灯姿勢において、前記電源スイッチの操作に伴って、前記電源に通電された後、
前記揺動検出手段が前記装置本体の揺動を検出すると、前記発光素子を点滅又は点灯し、
前記消灯姿勢又は前記各点灯姿勢において、前記電源スイッチの操作に伴って、前記電源から遮断されると、前記発光素子を消灯する
ことを特徴とする請求項１に記載の装身具等用発光装置。
【請求項３】
装身具、玩具又は携帯端末用アクセサリ等の被装着体に装着され、一の消灯姿勢及び前記一の消灯姿勢と異なる複数の点灯姿勢にされる装置本体を備える装身具等用発光装置であって、
［Ｅ］前記装置本体は、
回路基板を含んで構成され、
［Ｆ］前記回路基板は、
揺動検出回路と、
前記揺動検出回路に配置される電源と、
発光素子と、
前記揺動検出回路に配置され、前記装置本体の揺動に伴って、前記揺動検出回路を通電・遮断する揺動検出スイッチと、
前記発光素子に接続され、前記発光素子の点滅又は点灯・消灯を制御する制御器と、
を備え、
［Ｇ］前記揺動検出回路は、
前記揺動検出スイッチ及び前記制御器の入力端子を第１電路で接続し、
前記第１電路及び前記電源の正極を第２電路で接続し、
前記制御器の出力端子及び前記電源の負極を第３電路で接続し、
前記第３電路及び前記揺動検出スイッチを第４電路で接続してなり、
［Ｈ］前記揺動検出スイッチは、
前記消灯姿勢以外の前記各点灯姿勢において、前記装置本体の揺動に伴って、前記第１電路及び前記第４電路を通電し、
前記消灯姿勢において、前記装置本体が揺動しても、前記第１電路及び前記第４電路を遮断し、
［Ｉ］前記制御器は、
前記制御器の各端子間に流れる端子間電流を検出し、
前記各点灯姿勢において、前記端子間電流が変動すると、前記発光素子を点滅又は点灯し、
前記消灯姿勢において、前記発光素子を消灯する
ことを特徴とする装身具等用発光装置。
【請求項４】
［Ｊ］前記回路基板は、
前記揺動検出回路に配置され、手動操作に伴って、前記揺動検出回路を通電・遮断する電源スイッチを備え、
［Ｋ］前記揺動検出回路は、
前記前記制御器の出力端子及び前記第４電路間において、前記電源スイッチを前記第３電路中に接続し、
［Ｌ］前記制御器は、
前記各点灯姿勢において、前記電源スイッチの操作に伴って、前記第３電路が通電された後、前記端子間電流が変動すると、前記発光素子を点滅又は点灯し、
前記消灯姿勢又は前記各点灯姿勢において、前記電源スイッチの操作に伴って、前記第３電路が遮断されると、前記発光素子を消灯する
ことを特徴とする請求項３に記載の装身具等用発光装置。
【請求項５】
［Ｍ］前記装置本体は、
前記回路基板を収納する本体ケースを備え、
［Ｎ］前記本体ケースは、
前記発光素子の光を透光させる
ことを特徴とする請求項３又は４に記載の装身具等用発光装置。
【考案の詳細な説明】
【技術分野】
【０００１】
本考案は、装身具、玩具又は携帯端末用アクセサリに装着され、装置本体の揺動に伴って発光素子を点滅又は点灯させる装身具等用発光装置に関する。
【背景技術】
【０００２】
装身具等用発光装置として、特許文献１は、モデリングアクセサリ内に発光装置を配置する装身具（アクセサリ）を開示する。発光装置は、発光素子（発光ダイオード）、回路制御基板、電源及び震動スイッチで構成される。
特許文献１は、アクセサリを靴、鞄又は帽子等に装着して使用し、回路制御基板は被取付物の震動（揺動）に伴って、震動スイッチが震動を検知すると、発光素子を発光させる。
【０００３】
しかし、特許文献１では、アクセサリを靴、鞄又は帽子等から取外して使用しない時でも、アクセサリに震動を与えると、発光素子が発光するため、電池の消費が多くなり、発光素子の発光時間を減少させる。
【先行技術文献】
【特許文献】
【０００４】
【特許文献１】実用新案登録第３１４４５５７号公報
【考案の概要】
【考案が解決しようとする課題】
【０００５】
本考案は、一の消灯姿勢及び一の消灯姿勢と異なる複数の点灯姿勢にされる装置本体を備え、装置本体の一の消灯姿勢において、装置本体が揺動しても発光素子を消灯することで、不使用時、電源の消費電力を抑制できる装身具等用発光装置を提供することである。
また、本考案は、装置本体の一の消灯姿勢以外の複数の点灯姿勢の夫々において、装置本体が揺動すると、発光素子を点滅又は点灯できる装身具等用発光装置を提供することにある。
更に、本考案は、装身具等用発光装置の不使用時、装置本体の複数の点灯姿勢の夫々において、装置本体が揺動しても、発光素子を消灯できる装身具等用発光装置を提供することにある。
【課題を解決するための手段】
【０００６】
本考案に係る請求項１は、装身具、玩具又は携帯端末用アクセサリ等の被装着体に装着され、一の消灯姿勢及び前記一の消灯姿勢と異なる複数の点灯姿勢にされる装置本体を備える装身具等用発光装置であって、前記装置本体は、電源と、発光素子と、前記消灯姿勢以外の前記各点灯姿勢において、前記装置本体の揺動を検出する揺動検出手段と、前記電源、及び前記発光素子に接続され、前記発光素子の点滅又は点灯・消灯を制御する制御手段と、を備え、前記制御周手段は、前記各点灯姿勢において、前記揺動検出手段が前記装置本体の揺動を検出すると、前記発光素子を点滅又は点灯し、前記消灯姿勢において、前記発光素子を消灯することを特徴とする装身具等用発光装置である。
【０００７】
本考案に係る請求項２は、前記装置本体は、手動操作に伴って、前記電源及び前記制御手段を通電・遮断する電源スイッチを備え、前記制御手段は、前記各点灯姿勢において、前記電源スイッチの操作に伴って、前記電源に通電された後、前記揺動検出手段が前記装置本体の揺動を検出すると、前記発光素子を点滅又は点灯し、前記消灯姿勢又は前記各点灯姿勢において、前記電源スイッチの操作によって、前記電源から遮断されると、前記発光素子を消灯することを特徴とする請求項１に記載の装身具等用発光装置である。
【０００８】
本考案に係る請求項３は、装身具、玩具又は携帯端末用アクセサリ等の被装着体に装着され、一の消灯姿勢及び前記一の消灯姿勢と異なる複数の点灯姿勢にされる装置本体を備える装身具等用発光装置であって、前記装置本体は、回路基板を含んで構成され、前記回路基板は、揺動検出回路と、前記揺動検出回路に配置される電源と、発光素子と、前記揺動検出回路に配置され、前記装置本体の揺動に伴って、前記揺動検出回路を通電・遮断する揺動検出スイッチと、前記発光素子に接続され、前記発光素子の点滅又は点灯・消灯を制御する制御器と、を備え、前記揺動検出回路は、前記揺動検出スイッチ及び前記制御器の入力端子を第１電路で接続し、前記第１電路及び前記電源の正極を第２電路で接続し、前記制御器の出力端子及び前記電源の負極を第３電路で接続し、前記第３電路及び前記揺動検出スイッチを第４電路で接続してなり、前記揺動検出スイッチは、前記消灯姿勢以外の前記各点灯姿勢において、前記装置本体の揺動に伴って、前記第１電路及び前記第４電路を通電し、前記消灯姿勢において、前記装置本体が揺動しても、前記第１電路及び前記第４電路を遮断し、前記制御器は、前記制御器の各端子間に流れる端子間電流を検出し、前記各点灯姿勢において、前記端子間電流が変動すると、前記発光素子を点滅又は点灯し、前記消灯姿勢において、前記発光素子を消灯することを特徴とする装身具等用発光装置である。
【０００９】
本考案に係る請求項４は、前記回路基板は、前記揺動検出回路に配置され、摺動操作に伴って、前記揺動検出回路を通電・遮断する電源スイッチを備え、前記揺動検出回路は、前記制御器の出力端子及び前記第４電路間において、前記電源スイッチを前記第３電路中に接続し、前記制御器は、前記各点灯姿勢において、前記電源スイッチの操作に伴って、前記第３電路が通電された後、前記端子間電流が変動すると、前記発光素子を点滅又は点灯し、前記消灯姿勢又は前記各点灯姿勢において、前記電源スイッチの操作に伴って、前記第３電路が遮断されると、前記発光素子を消灯することを特徴とする請求項３に記載の装身具等用発光装置である。
前記消灯姿勢
【００１０】
本考案に係る請求項５は、前記装置本体は、前記回路基板を収納する本体ケースを備え、前記本体ケースは、前記発光素子の光を透光させることを特徴とする請求項３又は４に記載の装身具等用発光装置である。
【考案の効果】
【００１１】
本考案に係る請求項１によれば、揺動検出手段は、装置本体の消灯姿勢以外の各点灯姿勢において、装置本体の揺動を検出する。制御手段は、各点灯姿勢において、揺動検出手段が装置本体の揺動を検出すると、発光素子を点滅又は点灯し、消灯姿勢において、発光素子を消灯する。
装置本体の使用者は、不使用時、装置本体を消灯姿勢にすることで、発光素子を消灯でき、電源の消費電力を抑制することが可能となる。
装置本体の使用者は、使用時、装置本体を各点灯姿勢にして、装置本体を揺動することで、発光素子を点滅又は点灯できる。
【００１２】
本考案に係る請求項２によれば、電源スイッチは、手動操作に伴って、電源及び制御手段を通電・遮断する。制御手段は、各点灯姿勢において、電源スイッチの操作に伴って、電源に通電された後、揺動検出手段が装置本体の揺動を検出すると、発光素子を点滅又は点灯し、消灯姿勢又は各点灯姿勢において、前記電源スイッチの操作に伴って、電源から遮断されると、発光素子を消灯する。
装置本体の使用者は、不使用時、電源スイッチを操作して、制御器及び電源を遮断することで、装置本体の姿勢に関係なく、発光素子を消灯でき、電源の消費電力を抑制することが可能となる。
装置本体の使用者は、電源スイッチを操作して、制御手段及び電源を通電して、各点灯姿勢において、装置本体を揺動することで、発光素子を点滅又は点灯できる。
【００１３】
本考案に係る請求項３によれば、揺動検出スイッチは、消灯姿勢において、装置本体が揺動しても、第１及び第４電路を遮断する。消灯姿勢において、電源の電源電流は、揺動検出スイッチに流れることなく、第２及び第１電路を通して制御器の入力端子に流れる。これにより、制御器の端子間電流は電源電流となる。
揺動検出スイッチは、各点灯姿勢において、装置本体の揺動に伴って、第１及び第４電路を通電する。各点灯姿勢において、電源の電源電流は、第２及び第１電路通して、揺動検出スイッチ及び制御器の入力端子に分流する。これにより、制御器の端子間電流は電源電流に対して減少して変動する。
制御器は、端子間電流を検出し、各点灯姿勢において、端子間電流が変動する、即ち装置本体が揺動すると、発光素子を点滅又は点灯する。制御器は、消灯姿勢において、発光素子を消灯する。
装置本体の不使用時、装置本体を消灯姿勢にすることで、発光素子を消灯でき、不使用における電源の消費電力を抑制することが可能となる。
【００１４】
本考案に係る請求項４によれば、制御器は、消灯姿勢又は各点灯姿勢において、電源スイッチの操作に伴って、第３電路が遮断されると、発光素子を消灯する。
これにより、装置本体の不使用時、電源スイッチの操作で第３電路を遮断することで、装置本体の姿勢に関係なく、発光素子を消灯でき、不使用時における電源の消費電力を抑制することが可能となる。
【００１５】
本考案に係る請求項５によれば、回路基板を本体ケースに収納することで、回路基板を保護できる。
また、回路基板を本体ケースに収納しても、発光素子の光を本体ケースから透光できる。
【図面の簡単な説明】
【００１６】
【図１】装身具等用発光装置を示す図であって、（ａ）は正面図、（ｂ）は側面図、（ｃ）は背面図である。
【図２】装身具等用発光装置を示す図であって、（ａ）は図１（ａ）のＡ−Ａ一部断面図、（ｂ）は図１（ａ）のＢ−Ｂ一部断面図、（ｃ）は一部断面分解図である。
【図３】回路基板を示す図であって、（ａ）は正面図、（ｂ）は側面図、（ｃ）は背面図である。
【図４】揺動検出スイッチを示す図であって、（ａ）は正面図、（ｂ）は側面図、（ｃ）は図４（ｂ）のＣ−Ｃ断面図である。
【図５】発光回路、電源・検出回路及び制御器を示す回路・ブロック図である。
【図６】本体ケースの表側ケースを示す図であって、（ａ）は正面図、（ｂ）は側面図、（ｃ）は図６（ａ）のＤ−Ｄ断面図、（ｄ）は図６（ａ）のＥ−Ｅ断面図である。
【図７】本体ケースの裏側ケースを示す図であって、（ａ）は正面図、（ｂ）は側面図、（ｃ）は背面図、（ｄ）は図７（ａ）のＦ−Ｆ断面図である。
【図８】装置本体の一の消灯姿勢を示す図であって、（ａ）は装置本体の正面図、（ｂ）は揺動検出スイッチの拡大断面図である。
【図９】装置本体の第１点灯姿勢を示す図であって、（ａ）は装置本体の正面図、（ｂ）は揺動検出スイッチの拡大断面図である。
【図１０】装置本体の第２点灯姿勢を示す図であって、（ａ）は装置本体の正面図、（ｂ）は揺動検出スイッチの拡大断面図である。
【図１１】装置本体の第３点灯姿勢を示す図であって、（ａ）は装置本体の正面面図、（ｂ）は揺動検出スイッチの拡大断面図である。」
【図１２】制御プログラムを示すフローチャート図である。
【図１３】装置本体をストラップに装着した状態を示す図であって、（ａ）は正面図、（ｂ）は背面図である。
【図１４】装置本体をストラップに装着した状態を示す側面図である。
【考案を実施するための形態】
【００１７】
本考案に係る装身具等用発光装置について、図１乃至図１４を参照して説明する。
【００１８】
図１乃至図１４において、装身具等用発光装置Ｘ（以下、「発光装置Ｘ」と称する）は、装置本体１を備える。
装置本体１は、装身具、玩具又は携帯端末用アクセサリ等の被装着体に装着される（図１３及び図１４参照）。
装置本体１は、一の消灯姿勢ＤＦ（図８参照）、及び一の消灯姿勢ＤＦと異なる複数の第１乃至第３点灯姿勢ＯＦ１，ＯＦ２，ＯＦ３（図９乃至図１１参照）にされる。
装置本体１は、図１乃至図７に示すように、回路基板２及び本体ケース３を含んで構成される。
【００１９】
＜回路基板２＞
回路基板２は、図３及び図５に示すように、電源６、発光素子７、揺動検出手段８、電源スイッチ９、制御手段１０、発光回路１１及び揺動検出回路１２を備える。
【００２０】
電源６は、例えばボタン型電池（以下、「ボタン型電池６」と称する）で構成される。ボタン型電池６は、図３に示すように、回路基板２の基板裏面２ｂに配置され、電池ホルダ１２で回路基板２に保持される。電池ホルダ１２は、ボタン型電池６を取外自在に保持する。
ボタン型電池６は、図５に示すように、揺動検出回路１２に配置される。
【００２１】
発光素子７は、例えば複数のチップＬＥＤ(Light  Emitting  Diode)７Ａ〜７Ｄで構成され、回路基板２の基板表面２ａに取付けられる。
各チップＬＥＤ７Ａ〜７Ｄは、回路基板２の基板表裏面２ａ，２ｂに直交する中心線ａ周りに角度：９０度を隔てて配置される。
各チップＬＥＤ７Ａ〜７Ｄは、図５に示すように、発光回路１１に配置される。
【００２２】
揺動検出手段８は、消灯姿勢ＤＦ以外の各点灯姿勢ＯＦ１〜ＯＦ３において、装置本体１の揺動を検出する。揺動検出手段８は、図４に示すように、例えば揺動検出スイッチ（以下、「揺動検出スイッチ８」と称する）で構成され、回路基板２に取付けられる。
揺動検出スイッチ８は、図５に示すように、揺動検出回路１２に配置される。
揺動検出スイッチ８は、図４に示すように、両軸端閉鎖の円筒検出電極１４、検出電極１５及び導電接点球１６を有する。
【００２３】
検出電極１５は、円筒検出電極１４内の一軸端１４Ａに配置される。検出電極１５は、円筒検出電極１４に対して絶縁配置される。
通電接点球１６は、円筒検出電極１４内に収納されている。通電接点球１６は、図４に示すように、円筒検出電極１４の軸心線Ｄａに沿って転動自在に配置され、更に軸心線Ｄａに直交する多方向にも転動自在に配置される。通電接点球１６は、円筒検出電極１４の一軸端１４Ａにおいて、円筒検出電極１４及び検出電極１５に接触する。
揺動検出スイッチ８は、図３に示すように、円筒検出電極１４の軸心線Ｄａを回路基板２の中心線ａに直交する水平方向ＨＴに向けて、回路基板２に取付けられる。
【００２４】
電源スイッチ９は、図３に示すように、例えばボタンスイッチ（以下、「ボタンスイッチ９」と称する）で構成され、揺動検出回路１２に配置される（図５参照）。
ボタンスイッチ９は、手動操作に伴って揺動検出回路１２を通電し、次の手動操作に伴って揺動検出回路１２を遮断する。
【００２５】
制御手段１０は、各チップＬＥＤ７Ａ〜７Ｄ（発光素子７）に接続され、各チップＬＥＤ７Ａ〜７Ｄの点滅（又は点灯）・消灯を制御する。
制御手段１０は、例えば半導体集積回路（ＩＣ：Integrated  Circuit）でなる制御器（以下、「制御器１０」と称する）で構成され、回路基板２の基板表面２ａに取付けられる。
制御器１０は、図５に示すように、ＣＰＵ２１（Central  Processing  Unit）、記憶部2及びＬＥＤドラバ２３を備える。
ＣＰＵ２１は、記憶部２２及びＬＥＤドライバ２３に接続され、制御プログラム（図１２参照）を実行する。ＣＰＵ２１は、揺動検出スイッチ８の導電接接点球１６が円筒検出電極１４及び検出電極１５を通電することに基づいて、ＬＥＤドライバ２３に一定間隔（デューティー比一定）の駆動パルス信号（ＯＮ／ＯＦＦ信号）を出力する。
記憶部２２は、制御プログラム（図１２参照）を格納する。
ＬＥＤドライバ２３は、駆動パルス信号に基づいて、各チップＬＥＤ７Ａ〜７Ｄに電流を流す（電圧印加する）。
【００２６】
発光回路１１は、図３及び図５に示すように、回路基板２の基板表面２ａにプリント形成される。
発光回路１１は、図５に示すように、各チップＬＥＤ７Ａ〜７Ｄのアノード及び制御器１０の各出力端子Ｐ１〜Ｐ４を接続する。
発光回路１１は、各チップＬＥＤ７Ａ〜７Ｄのカソードを配列接続して、電気抵抗Ｒ１を通してボタン型電池６の負極６Ｂに接続する。
【００２７】
揺動検出回路１２は、図３及び図５に示すように、回路基板２の基板表面２ａにプリント形成される。
揺動検出回路１２は、図５に示すように、揺動検出スイッチ８の円筒検出電極１４又は検出電極１５の一方、例えば検出電極１５及び制御器１０の入力端子Ｎ１を第１電路ｄ１で接続する。
揺動検出回路１２は、第１電路ｄ１及びボタン型電池６の正極６Ａを第２電路ｄ２で接続する。ボタン型電池６の正極６Ａは、第２電路ｄ２の電気抵抗Ｒ２を通して第１電路ｄ１に接続される。
これにより、揺動検出スイッチ８は、第１及び第２電路ｄ１，ｄ２を通してボタン型電池６の正極６Ａに接続される。
【００２８】
揺動検出回路１２は、図５に示すように、制御器１０の出力端子Ｐ５及びボタン型電池６の負極６Ｂを第３電路ｄ３で接続する。
揺動検出回路１２は、揺動検出スイッチ８の円筒検出電極１４又は検出電極１５の他方、例えば円筒検出電極１４及び第３電路ｄ３を第４電路ｄ４で接続する。
これにより、揺動検出スイッチ８は、第３及び第４電路ｄ３，ｄ４を通してボタン型電池６の負極６Ｂに接続される。揺動検出スイッチ８は、図５に示すように、第１及び第４電路ｄ１，ｄ４を通電・遮断する。
【００２９】
揺動検出回路１２は、図５に示すように、制御器１５の出力端子Ｐ５及び第４電路ｄ４間において、電源スイッチ９を第３電路ｄ３中に接続する。
これにより、電源スイッチ９は、第３電路ｄ３を通電・遮断する。
【００３０】
揺動検出回路１２は、図５に示すように、ボタン型電池６の正極６Ａ及び制御器１０のＶｄｄ端子Ｎ２を第５電路ｄ５で接続する。第５電路ｄ５は、第２電路ｄ２に接続されている。
揺動検出回路１２は、制御器１０のＶｓｓ端子Ｐ６及びボタン型電池６の負極６Ｂを第６電路ｄ６で接続する。
これにより、ボタン型電池６の微弱電流（電源電流）は、第５電路ｄ５を通して制御器１０に流れ、制御器１０のＣＰＵ２１をは微弱電流で起動する。
【００３１】
＜本体ケース３＞
本体ケース３は、図１乃至図３、図６及び図７に示すように、回路基板２を収納する。本体ケース３は、例えば合成樹脂で矩形に形成され、各チップＬＥＤ７Ａ〜７Ｄの光を透光させる。
本体ケース３は、表側ケース３１及び裏側ケース３２で構成され、表裏側ケース３１，３２で回路基板２の収納空間Ｈを形成する。
【００３２】
表側ケース３１は、図６に示すように、表側板３３及び複数の側板３４Ａ〜３４Ｄで構成され、各側板３３，３４Ａ〜３４Ｄで収納凹所Ｈ１を区画する。
表側板３３は、複数の光窓３５Ａ〜３５ｄ及びスイッチ操作板３６を有する。各光窓３５Ａ〜３５Ｄは、表側板３３に直交する中心線ａ周りに角度：９０度を隔てて配置され、表側板３３を中心線ａに沿って挿通（貫通）する。
スイッチ操作板３６は、表側板３３に片持ち支持され、中心線ａに配置される。スイッチ操作板３６は中心線ａに沿って揺動自在である。
【００３３】
表側ケース３１は、図６に示すように、複数の連結柱３７Ａ〜３７Ｄを有する。各連結柱３７Ａ〜３７Ｄは、表側板３３の四隅（矩形の各角）に位置して、表側板３３に一体形成される。各連結柱３７Ａ〜３７Ｄは、中心線ａに沿って収納凹所Ｈ１を挿通して、各側板３４Ａ〜３４Ｄ端から突出する。
【００３４】
裏側ケース３２は、図７に示すように、裏側板３８及び複数の側板３９Ａ〜３９Ｄで構成され、各側板３８、３９Ａ〜３９Ｄで収納凹所Ｈ２を区画する。
裏側ケース３２は、複数の連結穴４０Ａ〜４０Ｄ及び位置決め突起４１を有する。各連結穴４０Ａ〜４０Ｄは、裏側板３８の四隅（矩形の各角）に形成され、収納凹所Ｈ２内に開口する。
位置決め突起４１は、回転基板２の電池ホルダ１２（ボタン型電池６）を配置する略半円弧に形成され、収納凹所Ｈ２内に突出する。
【００３５】
装置本体１は、図１乃至図３に示すように、回路基板２を裏側ケース３２の収納凹所Ｈ２内に収納する。
回路基板２は、電池ホルダ１２（ボタン型電池６）を位置決め突起４１内側に配置して、裏側ケース３２の収納凹所Ｈ２内に収納する。
装置本体１は、表側ケース３１の各連結柱３７Ａ〜３７Ｄを裏側ケース３２の各連結穴４０Ａ〜４０Ｄ内に圧入する。
これにより、表側ケース３１は、裏側ケース３２の収納凹所Ｈ２を閉鎖して、回路基板２を収納空間Ｈに収納する。
各光窓３５Ａ〜３５Ｄは、図１乃至図３に示すように、各チップＬＥＤ７Ａ〜７Ｄに対峙される。
スイッチ操作板３６は、ボタンスイッチ９に対峙され、押操作によってボタンスイッチ９を手動操作する。
【００３６】
＜装置本体１の姿勢＞
装置補体１は、例えば中心軸ａ周りに回転されて、一の消灯姿勢（図８参照）、及び複数の第１乃至第３点灯姿勢ＯＦ１〜ＯＦ３（図９乃至図１１参照）にされる。
【００３７】
図８において、装置本体１の消灯姿勢ＤＦは、中心線ａ及び水平方向ＨＴに直交する垂直方向ＶＴにおいて、各チップＬＥＤ７Ｃ，７Ｄを上方に向ける位置である。
消灯姿勢ＤＦにおいて、揺動検出スイッチ８は、図８に示すように、円筒検出電極１４の軸心線Ｄａを垂直方向ＶＴに向けて配置する。導電接点球１６は、円筒検出電極１４の軸心線ａ（垂直方向ＶＴ）に直交する水平方向ＨＴに転動自在に配置される。また、通電接触球１６は、円筒検出電極１４の他軸端１４Ｂ上に接触配置される。
これにより、揺動検出スイッチ８は、図８に示すように、装置本体１が水平方向ＨＴに揺動しても、第１及び第４電路ｄ１，ｄ４を遮断する。
【００３８】
図９において、装置本体１の第１点灯姿勢ＯＦ１は、垂直方向ＶＴにおいて、各チップＬＥＤ７Ａ，７Ｂを上方に向ける位置である。
第１点灯姿勢ＯＦ１は、中心線ａ周りに消灯姿勢ＤＦから角度：１８０度回転した位置である。
第１点灯姿勢ＯＦ１において、揺動検出スイッチ８は、図９に示すように、円筒検出電極１４の軸心線Ｄａを垂直方向ＶＴに向けて配置する。導電接点球１６は、円筒検出電極１４の軸心線ａ（垂直方向ＶＴ）に直交する水平方向ＨＴに転動自在に配置される。また、通電接触球１６は、検出電極１５上に接触配置される。
これにより、揺動検出スイッチ８は、図９に示すように、装置本体１の水平方向Ｈｔの揺動に伴って、第１及び第４電路ｄ１，ｄ４を通電する。
【００３９】
図１０において、装置本体１の第２点灯姿勢ＯＦ２は、垂直方向ＶＴにおいて、各チップＬＥＤ７Ａ，７Ｄを上方に向ける位置である。
第２点灯姿勢ＯＦ２は、中心線ａ反時計周りに消灯姿勢ＤＦから角度：９０度回転した位置である。
第２点灯姿勢ＯＦ２において、揺動検出スイッチ９は、図１０に示すように、円筒検出電極１４の軸心線Ｄａを水平方向ＨＴに向けて配置する。導電接点球１６は、水平方向ＨＴにおいて、円筒検出電極１４の両軸端１４Ａ，１４Ｂ間で転動自在に配置される。
これにより、揺動検出スイッチ８は、図１０に示すように、装置本体１の水平方向ＨＴの揺動に伴って、第１及び第４電路ｄ１，ｄ４を通電する。
【００４０】
図１１において、装置本体１の第３点灯姿勢ＯＦ３は、垂直方向ＶＴにおいて、各チップＬＥＤ７Ｂ，７Ｃを上方に向ける位置である。
第３点灯姿勢ＯＦ３は、中心線ａ時計周りに消灯姿勢ＤＦから角度：９０度回転した位置である。円筒検出電極１４の軸心線Ｄａを水平方向ＨＴに向けて配置する。導電接点球１６は、水平方向ＨＴにおいて、円筒検出電極１４の両軸端１４Ａ，１４Ｂ間で転動自在に配置される。
これにより、揺動検出スイッチ８は、図１１に示すように、装置本体１の水平方向ＨＴの揺動に伴って、第１及び第４電路ｄ１，ｄ４を通電する。
【００４１】
＜発光素子７の点滅・消灯＞
次に、発光素子７（各チップＬＥＤ７Ａ〜７Ｄ）の点滅（又は点灯）・消灯について、図１乃至図１２を参照して説明する。
【００４２】
なお、説明の便宜上、ボタンスイッチ９は、図５に示すように、第３電路ｄ３（ボタン型電池６の負極６Ｂ及び制御器１０の出力端子Ｐ５）を遮断している（以下、「ボタンスイッチＯＦＦ」と称する）。ボタンスイッチＯＦＦにおいて、ボタン型電池６の電源電流Ｉｖは、図５に示すように、制御器１０の入出力端子Ｎ１，Ｐ５間を流れず、制御器１０の入出力端子Ｎ１，Ｐ５間の電流Ｉｔ（以下、「端子間電流Ｉｔ」と称する）は、Ｉｔ＝０となる。
また、装置本体１の使用者（以下、「使用者」と称する。）は、図１に示すように、装置本体１を中心線ａ周りに回転して、図８に示す一の消灯姿勢ＤＦにする。
更に、揺動検出スイッチ８は、図５に示すように、第１及び第４電路ｄ１，ｄ４（ボタン型電池６の負極６Ｂ及び正極６Ａ）を遮断している（以下、「揺動検出スイッチＯＦＦ」と称する）。
【００４３】
制御器１０は、図５に示すように、ボタン型電池６の微弱電流（電源電流）で起動しており、制御プログラム（図１２参照）を実行する。
ＣＰＵ２１は、ボタンスイッチＯＦＦ（図１２：ＳＴ０１，Ｎ）であると、端子間電流Ｉｔを検出しないので（Ｉｔ＝０）、ＬＥＤドライバ２３に駆動パルス信号を出力しない。
これにより、制御器１０は、各チップＬＥＤ７Ａ〜７Ｄを点滅（又は点灯）することなく、消灯する。
【００４４】
使用者は、図２に示すように、スイッチ操作板３６を収納空間Ｈ内に向けて揺動して、ボタンスイッチ９に押付ける。
ボタンスイッチ９は、図５に示すように、手動操作に伴って、第３電路ｄ３（ボタン型電池６の負極６Ｂ及び制御器１０の出力端子Ｐ５）を通電する（以下、「ボタンスイッチＯＮ」と称する）。
ボタンスイッチＯＮにおいて、ボタン型電池６の電源電流Ｉｖは、制御器１０の入出力端子Ｎ１，Ｐ５間に流れ、端子間電流Ｉｔは、Ｉｔ＝Ｉｖとなる。
ＣＰＵ２１は、ボタンスイッチＯＮ（図１２：ＳＴ０１，Ｙ）となり、端子間電流Ｉｔ＝Ｉｖを検出しても、ＬＥＤドライバ２３に駆動パルス信号を出力しない。
これにより、制御器１０は、ボタンスイッチＯＮを認識し、各チップＬＥＤ７Ａ〜７Ｄを点滅（又は点灯）することなく、消灯する。
【００４５】
消灯姿勢ＤＦにおいて、図８に示すように、装置本体１が水平方向ＨＴに揺動されると、揺動検出スイッチ８は、装置本体１の揺動に伴って、水平方向ＨＴに揺動される。
揺動検出スイッチ８において、導電接点球１６は、図８に示すように、円筒検出電極１４の他軸端１４Ｂに接触しつつ、円筒検出電極１４の軸心線Ｄａに直交する水平方向Ｈに転動するので、検出電極１５に接触しない。
これにより、揺動検出スイッチ８は、図５及び図８に示すように、装置本体１が水平方向ＨＴに揺動しても、常に、第１及び第４電路ｄ１，ｄ４（ボタン型電池６の負極６Ｂ及び正極６Ａ）を遮断する（以下、「揺動検出スイッチＯＦＦ」と称する）。
揺動検出スイッチＯＦＦにおいて、図５に示すように、ボタン型電池６の電源電流Ｉｖは揺動検出スイッチ９に流れることなく、制御器１０の入力端子Ｎ１に流れるので、端子間電流ＩｔはＩｔ＝Ｉｖのままで変動（減少）しない。
ＣＰＵ２１は、揺動検出スイッチＯＦＦ（図１２：ＳＴ０２，Ｎ）であると、端子間電流Ｉｔの変動（増減）を検出しないので、ＬＥＤドラバ２３に駆動パルス信号を出力しない。
これにより、制御器１０は、消灯姿勢Ｄｆにおいて、装置本体１が揺動しても、各チップＬＥＤ７Ａ〜７Ｄを点滅（又は点灯）することなく、消灯する。
【００４６】
続いて、使用者は、装置本体１を消灯姿勢ＤＦ（図８参照）から第１乃至第３点灯姿勢ＰＦ１〜ＯＦ３（図９乃至図１１参照）の何れかにする。
【００４７】
第１点灯姿勢ＯＦ１において、図９に示すように、装置本体１が水平方向ＨＴに揺動されると、揺動検出スイッチ８は、装置本体１の揺動に伴って、水平方向ＨＴに揺動される。揺動検出スイッチ８において、導電接点球１６は、図９に示すように、円筒検出電極１４の軸心線Ｄａに直交する水平方向ＨＴに転動する。
通電接点球１６は、図９に示すように、装置本体１の揺動に伴って、円筒検出電極１４及び検出電極１５の通電（以下、「揺動検出スイッチＯＮ」と称する）と、円筒検出電極１４及び検出電極１５の遮断（揺動検出スイッチＯＦＦ）を繰り返す。
これにより、揺動検出スイッチ８は、図５及び図９に示すように、第１及び第４電流ｄ１，ｄ４の通電・遮断を繰り返す。
【００４８】
第２及び第３点灯姿勢ＯＦ２，ＯＦ３において、図１０及び図１１に示すように、装置本体１が水平方向ＨＴに揺動されると、揺動検出スイッチ８は、装置本体１の揺動に伴って、水平方向ＨＴに揺動される。揺動検出スイッチ８において、導電接点球１６は、図１０及び図１１に示すように、円筒検出電極１４の軸心線Ｄａに沿う水平方向ＨＴにおいて、円筒検出電極１４の両軸端１４Ａ，１４Ｂ間で転動する。
導電接点球１６は、図１０及び図１１に示すように、装置本体１の揺動に伴って、揺動検出スイッチＯＮ及び揺動検出スイッチＯＦＦを繰り返す。
これにより、揺動検出スイッチ８は、図５及び図９に示すように、第１及び第４電流ｄ１，ｄ４の通電・遮断を繰り返す。
【００４９】
第１乃至第３点灯姿勢ＯＦ１〜ＯＦ３において、揺動検出スイッチＯＮになると、ボタン型電池６の電源電流Ｉｖは、図５に示すように、第１電路ｄ１を通して揺動検出スイッチ８及び制御器１０の入力端子Ｎ１に分流するので、端子間電流Ｉｔは変動（減少）する。端子間電流Ｉｔは、電源電流Ｉｖが揺動検出スイッチ８に分流した電流だけ減少して、変動する。
ＣＰＵ２１は、揺動検出スイッチＯＮ（図１２：ＳＴ０２，Ｙ）であると、端子間電流Ｉｔの変動（減少）を検出するので、ＬＥＤドライバ２３に駆動パルス信号を出力する。
駆動パルス信号は、一定間隔（デューティー比一定）のＯＮ／ＯＦＦ信号である。
ＬＥＤドライバ２３は、駆動パルス信号を入力すると、各チップＬＥＤ７Ａ〜７Ｄに一定間隔で電流を流す（電圧印加する）。
各チップＬＥＤ７Ａ〜７Ｄは、一定間隔（デューティー比一定）で点滅する（図１２：ＳＴ０３）。各チップＬＥＤ７Ａ〜７Ｄの光は、本体ケース３の各光窓３５Ａ〜３５Ｄを通して本体ケース３を透光する。
これにより、制御器１０は、第１乃至第３点灯姿勢ＯＦ１〜ＯＦ３において、各チップＬＥＤ７Ａ〜７Ｄ（発光素子７）を点滅する（図１２：ＳＴ０３）。
【００５０】
使用者は、各チップＬＥＤ７Ａ〜７Ｄの点滅中、ボタンスイッチＯＦＦにして第３電路ｄ３を遮断すると、図５に示すように、端子間電流Ｉｔ＝０になる。
ＣＰＵ２１は、各チップＬＥＤ７Ａ〜７Ｄの点滅中、ボタンスイッチＯＦＦ（図１２：ＳＴ０４，Ｙ）になると、端子間電流Ｉｔ＝０を検出するので、駆動パルス信号の出力を停止する。
これにより、制御器１０は、ボタンスイッチＯＦＦを認識し、各チップＬＥＤ７Ａ〜７Ｄを消灯する（図１２：ＳＴ０８）。
【００５１】
一方、ＣＰＵ２１は、点滅開始から所定時間（ｔ）が経過すると（図１２：ＳＴ０５，Ｙ）、駆動パルス信号の出力を停止する。
これにより、制御器１０は、各チップＬＥＤ７Ａ〜７Ｄを消灯する（図１２：ＳＴ０６）。
【００５２】
続いて、第１乃至第３点灯姿勢ＯＦ１〜ＯＦ３において、再び、装置本体１が水平方向ＨＴに揺動されると、ＣＰＵ２１は、図１２のＳＴ０２〜ＳＴ０８を実行して、各チップＬＥＤ７Ａ〜７Ｄを点滅（又は点灯）・消灯する。
【００５３】
また、使用者は、各チップＬＥＤ７Ａ〜７Ｄが点滅から消灯された後（図１２：ＳＴ０２〜ＳＴ０５）、ボタンスイッチＯＦＦにする。
ボタンスイッチＯＦＦにおいて、図５に示すように、第３電路ｄ３が遮断されるので、端子間電圧Ｉｔ＝０になる。
ＣＰＵ２１は、ボタンスイッチＯＦＦ（図１２：ＳＴ０７，Ｙ）になると、端子間電流Ｉｔを検出しないので（Ｉｔ＝０）、駆動パルス信号を出力しない。
これにより、制御器１０は、ボタンスイッチＯＦＦを認識し、各チップＬＥＤ７Ａ〜７Ｄを点滅（又は点灯）することなく、消灯する。
【００５４】
また、ボタンスイッチＯＦＦにおいて、装置本体１を消灯姿勢ＤＦ又は第１乃至第３点灯姿勢ＯＦ１〜ＯＦ３にして、装置本体１を水平方向ＨＴに揺動しても、図５に示すように、端子間電流Ｉｔ＝０になる。
従って、消灯姿勢ＤＦ又は第１乃至第３点灯姿勢ＯＦ１〜ＯＦ３において、ＣＰＵ２１は、ボタンスイッチＯＦＦ（図１２：ＳＴ０7，Ｙ）になると、端子間電流Ｉｔを検出しないので（Ｉｔ＝０）、駆動パルス信号を出力しない。
これにより、制御器１０は、各チップＬＥＤ７Ａ〜７Ｄを点滅（又は点灯）することなく、消灯する。
【００５５】
以上のように、本考案に係る装身具等用発光措置Ｘでは、使用時、ボタンスイッチＯＮにして、装置本体１を第１乃至第３点灯姿勢ＯＦ１〜ＯＦ３の何れかにすると共に、装置本体１を揺動することで、各チップＬＥＤ７Ａ〜７Ｄを点滅（又は点灯）できる。
発光装置Ｘの不使用時、装置本体１を一の消灯姿勢ＤＦにすることで、装置本体１が用揺動しても、各チップＬＥＤ７Ａ〜７Ｄを消灯できる。
そして、ボタンスイッチＯＦＦにすると、消灯姿勢ＤＦ及び第１乃至第３点灯姿勢ＯＦ１〜ＯＦ３であっても、各チップＬＥＤ７Ａ〜７Ｄを点滅（又は点灯）することなく、消灯できる。
【００５６】
＜発光装置Ｘの適用例＞
発光装置Ｘにおいて、装置本体１は、装身具、玩具又は携帯端末用アクセサリ等の被装着体に装着される。
装身具とは、アームバンド、ネックバンド、ヘアバンド、キーホルダ、ティアラ、ネックレス、ピアス、ブローチ、リストバンド等の身体に装着するものである。玩具とは、縫いぐるみ、人形、ストラップ等である。携帯端末用アクセサリとは、ストラップ、装飾プラグ等である。携帯端末は、携帯電話、タブレット端末、スマートフォン等である。
【００５７】
図１３及び図１４において、装身具等用発光装置Ｘの装置本体１は、ストラップＹに装着する。ストラップＹは、携帯端末（携帯電話）又は鞄等に取付ける。
ストラップＹは、図１３及び図１４に示すように、ストラップ線材６１及びストラップ本体６２で構成される。ストラップ本体６２は、各チップＬＥＤ７Ａ〜７Ｄの光を透光する合成樹脂シート袋６２Ａ、及び合成樹脂シート袋６２Ａ内に配置されるクッション材６２Ｂを有する。クッション材６２Ｂは収納空間Ｙ１を有する。
ストラップ線材６２Ａは、合成樹脂シート袋６２Ｂ上方に取付けられる。
【００５８】
装置本体１は、図１３及び図１４に示すように、合成樹脂シート袋６２Ａ内に配置され、クッション材６２Ｂの収納空間Ｙ１内に収納する。
装置本体１は、図１３及び図１４に示すように、例えば、第２姿勢ＯＦ２として、クッション材６２Ｂの収納空間Ｙ１に収納する。
ストラップＹは、ストラップ線材６２Ａを携帯端末又は鞄等（図示しない）に結び付て、携帯端末又は鞄等に取付けられる。
【００５９】
ストラップＹは、携帯端末又は鞄等を持ち運ぶ時、図１３に示すように、水平方向ＨＴに揺動する。装置本体１も、ストラップＹの揺動に伴って、水平方向ＨＴに揺動される。
制御器１０は、図１２の制御プログラム（ＳＴ０１〜ＳＴ０７）に従って、各チップＬＥＤ７Ａ〜７Ｄを点滅（又は点灯）する。
【００６０】
本考案に係る装身具等用発光装置Ｘにおいて、揺動検出手段は、揺動検出スイッチに限定されず、光学的に装置本体１の揺動を検出するセンサを採用できる。
【００６１】
本考案に係る装身具等用発光装置Ｘにおいて、本体ケース３の表側ケース３１を裏側ケース３２にから取外すことで、ボタン型電池６を交換できる。
装身具等用発光装置Ｘにおいて、制御器１０は、駆動パルスのデューティ比を調整することで、各チップＬＥＤ７Ａ〜７Ｄを点灯できる。
【産業上の利用可能性】
【００６２】
本考案は、装身具、玩具又は携帯端末用アクセサリ等の被装着体を発光させるのに好適である。
【符号の説明】
【００６３】
Ｘ  装身具等用発光装置
１  装置本体
２  回路基板
３  本体ケース
６  ボタン型電池（電源）
７  発光素子
７Ａ〜７Ｄ  チップＬＥＤ
８  揺動検出スイッチ（揺動検出手段）
９  ボタンスイッチ（電源スイッチ）
１０  制御器（制御手段）
ｄ１  第１電路
ｄ２  第２電路
ｄ３  第３電路
ｄ４  第４電路
ＤＦ  消灯姿勢
ＯＦ１  第１点灯姿勢
ＯＦ２  第２点灯姿勢
ＯＦ３  第３点灯姿勢
【図１】
0003182216.tif 000003
【図２】
0003182216.tif 000004
【図３】
0003182216.tif 000005
【図４】
0003182216.tif 000006
【図５】
0003182216.tif 000007
【図６】
0003182216.tif 000008
【図７】
0003182216.tif 000009
【図８】
0003182216.tif 000010
【図９】
0003182216.tif 000011
【図１０】
0003182216.tif 000012
【図１１】
0003182216.tif 000013
【図１２】
0003182216.tif 000014
【図１３】
0003182216.tif 000015
【図１４】
0003182216.tif 000016